(57)【特許請求の範囲】
【請求項１】
感光材料を１列搬送状態から多列搬送状態に切り換え可能な振り分けユニットのユニット支持機構であって、
所定の方向に平行移動できるように前記ユニットを案内支持するため、前記ユニットの第１の個所を案内支持する第１案内支持部と、前記ユニットの前記第１の個所とは異なる第２の個所を案内支持する第２案内支持部とを備えたユニット支持機構において、
前記第１案内支持部は、第１ローラと、この第１ローラの幅方向を規制する第１ガイド部材とを備え、
前記第２案内支持部は、第２ローラと、この第２ローラの外径方向を規制する第２ガイド部材とを備えている
ことを特徴とするユニット支持機構。
【請求項２】
前記第１案内支持部は、前記ユニットの下部を案内支持するために設けられ、前記第１ローラの軸芯が水平方向になるように設定されていると共に、前記第１ガイド部材が前記第１ローラの上側又は下側に配置され、
前記第２案内支持部は、前記ユニットの上部を案内支持するために設けられ、前記第２ローラの軸芯が垂直方向になるように設定されていることを特徴とする請求項１に記載のユニット支持機構。
【請求項３】
前記第１案内支持部は、前記ユニットの下部を案内支持するために設けられ、前記第１ローラの軸芯が水平方向になるように設定されていると共に、前記第１ガイド部材が前記第１ローラの上側又は下側に配置され、
前記第２案内支持部は、前記ユニットの側部を案内支持するために設けられ、前記第２ローラの軸芯が水平方向になるように設定されていることを特徴とする請求項１に記載のユニット支持機構。
【請求項４】
前記ユニットに第３ガイド部材がさらに設けられ、前記第１ガイド部材と前記第３ガイド部材とで前記第１ローラの外径方向を規制するように構成したことを特徴とする請求項２又は３に記載のユニット支持機構。
【請求項５】
前記第１ローラ及び第２ローラは外輪が金属で形成されたベアリングで構成され、前記第１ガイド部材、前記第２ガイド部材、及び、前記第３ガイド部材は樹脂で形成されていることを特徴とする請求項４に記載のユニット支持機構。
【請求項６】
感光材料を１列搬送状態から多列搬送状態に切り換え可能な振り分けユニットを備えた写真処理装置であって、
前記振り分けユニットが請求項１〜５のいずれか１項に記載のユニット支持機構により案内支持されるユニットであることを特徴とする写真処理装置。
【発明の詳細な説明】
【０００１】
【発明の属する技術分野】
本発明は、所定の方向に平行移動できるようにユニットを案内支持するため、前記ユニットの第１の個所を案内支持する第１案内支持部と、前記ユニットの前記第１の個所とは異なる第２の個所を案内支持する第２案内支持部とを備えたユニット支持機構及びこれを備えた写真処理装置に関するものである。
【０００２】
【従来の技術】
かかるユニットとユニット支持機構の従来技術について図５により説明する。図５（ａ）は下面図、（ｂ）は側面図である。ユニット６０は、図の矢印Ｄ方向に沿って平行移動ができるように案内支持されており、ユニット６０の下面部にスライドベアリング６１，６２，６３が設けられている。スライドベアリング６１，６２は、装置本体側に固定されたガイド軸６４に沿ってスライド可能になっており、スライドベアリング６３は、同じく装置本体側に固定されたガイド軸６５に沿ってスライド可能になっている。このようなユニット支持機構により、ユニット６０は平行移動することができる。
【０００３】
【発明が解決しようとする課題】
しかしながら、かかるユニット支持機構はスライドベアリングを用いた機構であることから高価であった。また、スライドベアリングを用いる場合、２本のガイド軸６４，６５の平行度等が精度的に要求され、組み立てコストが高くなっていた。また、スライドベアリングに代えて精密リニアレール（ＬＭガイド等）を使用することも考えられるが、コスト的には更に高価なものになってしまう。
【０００４】
本発明は上記実情に鑑みてなされたものであり、その目的は、ユニットを平行移動させる機構を安価にできるユニット支持機構及びこれを備えた写真処理装置を提供することである。
【０００５】
【課題を解決するための手段】
上記目的を達成するため本発明に係るユニット支持機構は、
所定の方向に平行移動できるようにユニットを案内支持するため、前記ユニットの第１の個所を案内支持する第１案内支持部と、
前記ユニットの前記第１の個所とは異なる第２の個所を案内支持する第２案内支持部とを備えており、
前記第１案内支持部は、第１ローラと、この第１ローラの幅方向を規制する第１ガイド部材とを備え、
前記第２案内支持部は、第２ローラと、この第２ローラの外径方向を規制する第２ガイド部材とを備えていることを特徴とするものである。
【０００６】
この構成によると、ユニットは第１案内支持部と第２案内支持部の少なくとも２箇所にて案内支持される。そして、第１、第２案内支持部ともに平行移動させるためにローラを用いている。このローラの幅方向か外径方向をガイド部材により規制することでユニットが平行移動できるように案内する。スライドベアリングを用いるのではなく、ローラを用いる構成であるからユニット支持機構を安価に構成することができた。
【０００７】
なお、ユニット側に第１、第２ガイド部材を、本体側に第１、第２ローラをそれぞれ設けるようにしてもよいし、ユニット側に第１、第２ローラを、本体側に第１、第２ガイド部材をそれぞれ設けるようにしても良い。
【０００８】
本発明の好適な実施形態として、前記第１案内支持部は、前記ユニットの下部を案内支持するために設けられ、前記第１ローラの軸芯が水平方向になるように設定されていると共に、前記第１ガイド部材が前記第１ローラの上側又は下側に配置され、
前記第２案内支持部は、前記ユニットの上部を案内支持するために設けられ、前記第２ローラの軸芯が垂直方向になるように設定されているものがあげられる。
【０００９】
この構成によると、第１案内支持部はユニットの下部を支持するものであり、第１ローラによりユニットの荷重を支持する。第１ガイド部材は第１ローラの上側に配置され、その幅方向を規制することで、ユニット下部のスムーズな平行移動を実現する。一方、第２案内支持部は、ユニットの上部を案内支持するものであり、第２ローラの軸芯が垂直方向になるようにして、第２ローラの外径方向を第２ガイド部材で規制することで、ユニット全体の姿勢を保持しながらユニットを平行移動することができる。
【００１０】
本発明の別の好適な実施形態として、前記第１案内支持部は、前記ユニットの下部を案内支持するために設けられ、前記第１ローラの軸芯が水平方向になるように設定されていると共に、前記第１ガイド部材が前記第１ローラの上側に配置され、
前記第２案内支持部は、前記ユニットの側部を案内支持するために設けられ、前記第２ローラの軸芯が水平方向になるように設定されているものがあげられる。
【００１１】
第１ローラによりユニット全体の荷重を支持する点は前記と同じであるが、第２案内支持部を側部に設けてユニット全体の姿勢を保持するようにした点が異なる。この場合は、第２ローラは第１ローラと同じく軸芯を水平方向とし、その外径方向を第２ガイド部材により規制するようにする。これにより、ユニット全体の姿勢を適正に保持しながら平行移動させることができる。
【００１２】
本発明の更に別の好適な実施形態として、前記ユニットに第３ガイド部材がさらに設けられ、前記第１ガイド部材と前記第３ガイド部材とで前記第１ローラの外径方向を規制するように構成したものがあげられる。
【００１３】
この構成によると、ユニットに設けられた第１ガイド部材と第３ガイド部材により第１ローラの外径方向を規制するものであるから、精度よく第１ローラを規制することができる。
【００１４】
本発明の更に別の好適な実施形態として、前記第１ローラ及び第２ローラは外輪が金属で形成されたベアリングで構成され、前記第１ガイド部材、前記第２ガイド部材、及び、前記第３ガイド部材は樹脂で形成されているものがあげられる。
【００１５】
ガイド部分を金属と金属で摺動させると、ユニットを平行移動させるときに移動音がうるさくなる。そこで外輪が金属で形成されたベアリングと、樹脂で形成された各ガイド部材とを摺動させるようにすることで移動音を小さくすることができる。
【００１６】
上記目的を達成するため本発明に係る写真処理装置は、
感光材料を１列搬送状態から多列搬送状態に切り換え可能な振り分けユニットを備えており、この振り分けユニットが上記説明してきたユニット支持機構により案内支持されるユニットであることを特徴とするものである。
【００１７】
写真処理装置においては、処理能力を高めるため、露光部において感光材料の露光が終了した後に、搬送状態を１列から多列に切り換えるものがある。この搬送状態の切り換えのために振り分けユニットを備えており、感光材料の搬送経路と直交する方向に振り分けユニットを平行移動させることで搬送状態の切り替えを行なう。この振り分けユニットのユニット支持機構としてローラを用いることにより安価に構成することができ、その結果、写真処理装置のコストダウンにも貢献することができる。
【００１８】
【発明の実施の形態】
本発明の好適な実施形態を図面を用いて説明する。図１は、本実施形態にかかる写真処理装置の構成を示す図である。この写真処理装置は、大きく分けてネガフィルム１のコマ画像をペーパー３に投影露光するプリント部Ｐ１と、露光済みのペーパー３（感光材料に相当する。）の現像処理等を行うプロセッサー部Ｐ２とを備えている。
【００１９】
＜写真処理装置の全体構成＞
プリント部Ｐ１には、光源１１、ネガフィルム１に照射する光の色バランスを調整する調光フィルタ１２、調光フィルタ１２を通過した光を均一に混色するミラートンネル１３、ネガフィルム１のコマ画像をペーパー３上に結像させるズームレンズ式の焼付レンズ１４、シャッタ１５、及びフィルム搬送経路にネガキャリア２０が露光光路をなす同一光軸上に設けられている。
【００２０】
ペーパー３はペーパーマガジン３ｐ（感光材料収容マガジンに相当する。）にロール状に収納されており、ペーパーマガジン３ｐから引き出されたペーパー３は、アドバンスローラ４にて搬送された後に、カッター５でプリントの大きさにカットされる。露光台６の所定位置にカットされたペーパー３が送られると、ネガフィルム１のコマ画像が露光される。露光済みのペーパー３は、ローラ７によりプロセッサー部Ｐ２に送られて、現像処理部８、乾燥処理部９を通過すると排出部１０から仕上がりプリントとして排出される。
ここでペーパー３に関して詳しく説明すると、長尺状のペーパー３がロール状にペーパーマガジン３ｐに収容されており、このペーパーマガジン３ｐからペーパー３を引き出していくことで所定の処理を行う。ペーパーマガジン３ｐは、写真処理装置の所定の個所に周知の着脱構造により着脱可能に構成されている。
【００２１】
＜各部の構成＞
ペーパーマガジン３ｐから引き出されたペーパー３はアドバンスローラ４によりターンさせられ、カッター５によりプリントサイズに切断されて露光台６に送り込まれる。
【００２２】
露光台６に搬送されてきたペーパー３はネガフィルム１のコマ画像が焼き付け露光される。露光済みのペーパー３は、大径ローラ２２、第１圧着ローラ２３、第２圧着ローラ２４を備えたスイッチバック機構に送り込まれる。このスイッチバック機構は、ペーパー３の表裏を反転させるための機構であり、ペーパー３の乳剤面が現像処理部８において現像処理上好ましい方向になるようにするものである。
【００２３】
露光済みのペーパー３は、まず、大径ローラ２２と第１圧着ローラ２３により図１の時計方向に回転させられたのち、大径ローラ２２と第２圧着ローラ２４により上方に向けてペーパー３を送り出す。スイッチバック機構には、ペーパー３が所望の動きをするようにガイド部材が設けられているが図１においては図示を省略している。
【００２４】
スイッチバック機構から送り出されたペーパー３は、振り分けユニット１７により１列搬送状態から２列搬送状態に切り換えられる。先端揃えユニット１８は、２列のペーパー３の先端位置が揃った状態になると、現像処理部８へと２列でペーパー３を送り出すのである。現像処理・乾燥処理の終了したペーパー３は、排出部１０に設けられた一対のローラ３０，３１により装置外部に排出される。
＜振り分け搬送＞
図４により振り分け搬送の手順を簡単に説明する。ペーパー３は図の下から上方向に搬送させられる。振り分けユニット１７は、図４の矢印Ｃ方向に平行移動することができる。先端揃えユニット１８は、第１搬送ベルト１８ａと第２搬送ベルト１８ｂとを備えている。振り分けユニット１７は、送り込まれてきたペーパー３をまず、第１搬送ベルト１８ａに送り込む。このペーパー３は、第１搬送ベルト１８ａの先頭位置にくると一旦停止する。次に、振り分けユニット１７は送り込まれてきたペーパー３を第２搬送ベルト１８ｂに送り込む。この第２搬送ベルト１８ｂに送り込まれてきたペーパー３の先端と、第１搬送ベルト１８ａにて待機しているペーパー３の先端とが揃った時点で、第１、第２搬送ベルト１８ａ，１８ｂの双方を駆動して現像処理部８へとペーパー３を２列の搬送状態で送り出す。
【００２５】
＜ユニット支持機構の第１実施形態＞
次に、図２により振り分けユニット１７（以下、単にユニットと言う。）のユニット支持機構の第１実施形態を説明する。図２（ａ）は側面図で図１と同じ方向から見た図である。（ｂ）は正面図である。
【００２６】
ユニット支持機構は、ユニット１７の下部を案内支持する第１案内支持部Ｓ１と、上部を案内支持する第２案内支持部Ｓ２とを備えている。ユニット１７の平行移動する方向は矢印Ａで示される。
第１案内支持部Ｓ１は、支軸４１が水平方向に設定されている２つの第１ローラ４０と、第１ローラ４０の上側の幅方向を規制する第１ガイド部材４２と、第１ローラの下側に位置する断面Ｌ字型の第３ガイド部材４３とから構成されている。第１ローラ４０はローラベアリングであり、その外輪は金属で形成されている。支軸４１は、写真処理装置本体に備えられたフレーム部材（不図示）に固定支持されている。第１ガイド部材４２は、溝を有するレール状に形成されている。第３ガイド部材４３は、その水平部分で第１ローラ４０の下部を支持する。つまり、第１ローラ４０の外径方向は、第１ガイド部材４２のレール溝部分と、第３ガイド部材４３の水平部分とで規制がされている。また、第１ガイド部材４２、第３ガイド部材４３はいずれもユニット１７に設けられている。
【００２７】
第２案内支持部Ｓ２は、支軸４４が垂直方向に設定されている２つの第２ローラ４５と、第２ローラ４５の外径方向を規制する第２ガイド部材４６とから構成されている。第２ガイド部材４６は、第２ローラ４５の外径方向の両側に形成された一対の壁部材であり、ユニット１７に一体的に設けられている。支軸４４は、写真処理装置本体に設けられたフレーム部材（不図示）に固定支持されている。
【００２８】
第２ローラ４５は、第１ローラ４０と同じものを使用することができる。また、第１、第２、第３ガイド部材４２，４３，４６は、それぞれ樹脂で形成するのが好ましく、これにより、平行移動を行っている時に発生する音を低減することができる。また、第１案内支持部Ｓ１の第１ローラ４０によりユニット１７全体の荷重を支えるようにしており、第２案内支持部Ｓ２の第２ローラ４５はユニット１７全体の姿勢を保持するように作用する。
【００２９】
＜ユニット支持機構の第２実施形態＞
次に、ユニット支持機構の第２実施形態を図３により説明する。図２は、ユニット１７が縦長の形状をしている場合の実施形態であったが、図３は横長の形状をしている場合の実施形態である。ユニット１７の平行移動の方向は矢印Ｂで示される。
ユニット支持機構は、ユニット１７の下部を支持する第１案内支持部Ｓ１と、側部を支持する第２案内支持部Ｓ２とを備えている。
【００３０】
第１案内支持部Ｓ１の構成は図２のものと同じであるので、同じ図番を付してその説明を省略する。第２案内支持部Ｓ２は、支軸４８が水平方向に設定された２つの第２ローラ４７と、第２ローラ４７の外径方向を上下方向から規制する第２ガイド部材４９とから構成されている。第２ガイド部材４９は、一対の壁部材でありユニット１７に一体的に設けられている。
【００３１】
第１案内支持部Ｓ１の第１ローラ４０によりユニット１７全体の重量を支え、第２案内支持部Ｓ２の第２ローラ４７により、ユニット１７全体の姿勢を保持するようにしている。
【００３２】
＜別実施形態＞
１．本発明によるユニット支持機構は、振り分けユニット１７以外のユニットを平行移動する場合にも応用することができる。
２．本実施形態の写真処理装置においては振り分けユニット１７は搬送経路が垂直になっている部分に設けられているが、搬送経路が水平となっている部分に振り分けユニット１７を設けるようにしても良い。この場合のユニット支持機構は、図３に示される構造となる。
【００３３】
３．本実施形態では各ガイド部材４２，４３，４６，４９がユニット１７側に設けられ、各ローラ４０，４５，４７が写真処理装置本体側に支持されていたが、この支持関係を反対にしても良い。
【図面の簡単な説明】
【図１】写真処理装置の全体構成を示す図
【図２】第１実施形態にかかるユニット支持機構の構成を示す図
【図３】第２実施形態にかかるユニット支持機構の構成を示す図
【図４】振り分け搬送の作動を示す図
【図５】従来技術にかかる融の構成を示す図
【符号の説明】
１７      振り分けユニット
４０      第１ローラ
４２      第１ガイド部材
４３      第３ガイド部材
４５      第２ローラ
４６      第２ガイド部材
４７      第２ローラ
４９      第２ガイド部材
Ｓ１      第１案内支持部
Ｓ２      第２案内支持部
【図１】
0003760977.tif 000002
【図２】
0003760977.tif 000003
【図３】
0003760977.tif 000004
【図４】
0003760977.tif 000005
【図５】
0003760977.tif 000006